(57)【特許請求の範囲】
【請求項１】
自車両の進行方向における、運転者からの死角を認識する死角認識部と、
前記死角からの移動体の飛び出しを検知する移動体検知部と、
前記移動体検知部によって前記飛び出しが検知された場合に、前記運転者に対して注意喚起を行う注意喚起部と、
前記死角を構成する場所での左右方向の注意度を演算する注意度演算部と、を備え、
前記注意喚起部は、
前記移動体検知部によって、前記注意度演算部により前記注意度が低いと演算された方向からの前記移動体の飛び出しが検知された場合、前記注意度演算部により前記注意度が高いと演算された方向からの前記移動体の飛び出しが検知された場合に比して、注意喚起レベルを高くすることを特徴とする運転支援装置。
【請求項２】
前記注意喚起部は、前記注意度演算部により前記注意度が高いと演算された方向に前記運転者の注意を向けるような注意喚起を、前記移動体検知部による前記移動体の飛び出しの検知前に行うことを特徴とする請求項１記載の運転支援装置。
【請求項３】
前記死角から飛び出して来る可能性のある移動体に関する情報として、前記移動体の想定速度を少なくとも含む移動体情報を設定する移動体情報設定部と、
前記移動体情報設定部で設定される前記移動体情報に基づいて、進行方向へ進んだ場合に前記自車両が前記移動体と接触する可能性がある、前記自車両の速度領域を演算する速度領域演算部と、
前記速度領域に基づいて前記自車両の目標速度を演算する目標速度演算部と、を更に備えることを特徴とする請求項１又は２記載の運転支援装置。
【請求項４】
前記自車両の前方を認識するための演算精度を設定する演算精度設定部を備え、
前記演算精度設定部は、前記注意度演算部が演算した左右方向の前記注意度に基づいて、前記演算精度を調整することを特徴とする請求項１〜３の何れか一項記載の運転支援装置。
【請求項５】
前記注意度演算部は、前記注意度として、前記死角を構成する場所での左右方向の見通し度を演算することを特徴とする請求項１〜４の何れか一項記載の運転支援装置。
【請求項６】
前記注意度演算部は、前記注意度として、前記死角を構成する場所での左右方向の安全度を演算することを特徴とする請求項１〜５の何れか一項記載の運転支援装置。
【発明の詳細な説明】
【技術分野】
【０００１】
本発明は、運転支援装置に関する。
【背景技術】
【０００２】
従来の運転支援装置として、交差点などへの進入時に、死角から飛び出してくる物体を考慮して運転支援を行うものが知られている。例えば、特許文献１の運転支援装置は、自車両の進路を予測し、自車両の進行方向における運転者からの死角を認識し、当該死角から飛び出してくる可能性がある物体を予測し、当該物体が移動可能な範囲を検出し、当該範囲と自車両の予測進路とが重なる場合に衝突可能性があると判定し、当該衝突を避けるように運転支援を行う。
【先行技術文献】
【特許文献】
【０００３】
【特許文献１】特開２００６−２６０２１７号公報
【発明の概要】
【発明が解決しようとする課題】
【０００４】
従来の運転支援装置は、死角から飛び出してくる可能性がある物体を予測して処理を行っている。ここで、実際の運転においては運転支援装置が演算によって求めた予測とは、異なる状況になる場合がある。従来より、予測と実際の状況が異なる場合であっても、適切な運転支援を行い、安全性をより一層向上することが求められていた。
【０００５】
本発明は、このような問題を解決するためになされたものであり、適切な運転支援を行い、安全性をより一層向上できる運転支援装置を提供することを目的とする。
【課題を解決するための手段】
【０００６】
運転支援装置は、自車両の進行方向における、運転者からの死角を認識する死角認識部と、死角からの移動体の飛び出しを検知する移動体検知部と、移動体検知部によって飛び出しが検知された場合に、運転者に対して注意喚起を行う注意喚起部と、死角を構成する場所での左右方向の注意度を演算する注意方向演算部と、を備え、注意喚起部は、移動体検知部によって、注意方向演算部により注意度が低いと演算された方向からの移動体の飛び出しが検知された場合、注意方向演算部により注意度が高いと演算された方向からの移動体の飛び出しが検知された場合に比して、注意喚起レベルを高くすることを特徴とする。
【０００７】
自車両の左側と右側の両方に死角が存在する場合、注意を払う必要性が、一方の死角に比して他方の死角の方が高くなる場合がある。従って、運転者が注意度の高い方に注意を向けている場合がある（例えば、運転者自身がそのように判断して当該方向に注意を向けている場合や、運転支援によって当該方向に注意が向くようにする場合などがある）。このような場合に、実際には反対側から移動体が飛び出ししてくると、当該飛び出しに対する対応が遅れる可能性がある。従って、運転支援装置では、注意喚起部は、移動体検知部によって、注意度演算部により注意度が低いと演算された方向からの移動体の飛び出しが検知された場合、注意度演算部により注意度が高いと演算された方向からの移動体の飛び出しが検知された場合に比して、注意喚起レベルを高くする。これによって、演算結果と異なる方向から実際の移動体が飛び出した場合であっても、注意喚起レベルを高くしておくことで、当該飛び出しに対応することができる。以上によって、適切な運転支援を行い、安全性をより一層向上できる。
【０００８】
運転支援装置において、注意喚起部は、注意度演算部により注意度が高いと演算された方向に運転者の注意を向けるような注意喚起を、移動体検知部による移動体の飛び出しの検知前に行ってもよい。これにより、移動体の飛び出し前には、注意度が高いと演算された方向に運転者の注意を向けておくことができる。一方、当該演算結果と異なる方向から実際の移動体が飛び出した場合でも、注意喚起レベルを高くしておくことで、当該飛び出しに対応することができる。
【０００９】
運転支援装置は、死角から飛び出して来る可能性のある移動体に関する情報として、移動体の想定速度を少なくとも含む移動体情報を設定する移動体情報設定部と、移動体情報設定部で設定される移動体情報に基づいて、進行方向へ進んだ場合に自車両が移動体と接触する可能性がある、自車両の速度領域を演算する速度領域演算部と、速度領域に基づいて自車両の目標速度を演算する目標速度演算部と、を更に備えてよい。
【００１０】
この運転支援装置では、移動体情報設定部が、死角から飛び出して来る可能性のある移動体を予測し、当該移動体に関する移動体情報を設定している。また、速度領域演算部は、死角から飛び出すと予測された移動体の想定速度に基づいて、自車両がどのような速度で走行すると、当該移動体と接触する可能性があるかを演算できる。そして、速度領域演算部は、自車両の速度領域として、自車両が移動体に接触する可能性がある速度領域を演算することができる。目標速度演算部は、演算された速度領域に基づいて、目標速度を演算している。このように、運転支援装置は、想定される移動体と、自車両の進路予測結果とを比較するものではなく、移動体と接触する可能性がある速度領域を演算し、当該演算に基づいて目標速度を演算するものである。このように、運転支援装置は、どのような速度で走行すればよいかの具体的な目標速度に基づいて制御を行うことができるため、高い安全性を確保した運転支援を行なうことができる。また、運転支援装置による運転支援は、自車両の進路予測の精度には影響を受けないため、適切な運転支援を行うことができる。
【００１１】
運転支援装置は、自車両の進行方向における、運転者からの死角を認識する死角認識部と、死角を構成する場所での左右方向の注意度を演算する注意度演算部と、自車両の前方を認識するための演算精度を設定する演算精度設定部と、を備え、演算精度設定部は、注意度演算部が演算した左右方向の注意度に基づいて、演算精度を調整してもよい。この運転支援装置では、注意度演算部が、死角を構成する場所での左右方向の注意度を演算することができる。自車両の左側と右側の両方に死角が存在する場合、注意を払う必要性が、一方の死角に比して他方の死角の方が高くなる場合がある。このように、左側と右側とで必要とされる注意度に差が生じる場合、必要とされる演算精度についても右側と左側とで差が生じる場合がある。このような差に関わらず、左右方向の両側において高い演算精度に設定する場合、演算負荷が大きくなるが、この運転支援装置では、演算精度設定部が、左右方向の注意度に基づいて、演算精度を調整することができる。従って、注意が必要な方向については十分な演算精度を確保しつつも、他方については演算負荷を低減することが可能となる。このように演算負荷を低減することにより、適切な運転支援を行い、安全性をより一層向上できる。
【００１２】
運転支援装置において、注意度演算部は、注意度として、死角を構成する場所での左右方向の見通し度を演算してよい。見通し度は、死角の位置に応じて容易に演算することができるため、注意度を演算するための負荷を低減できる。
【００１３】
運転支援装置において、注意度演算部は、注意度として、死角を構成する場所での左右方向の安全度を演算してよい。注意度として、左右方向の安全度を演算することで、安全性を確保することができる。
【発明の効果】
【００１４】
本発明によれば、適切な運転支援を行い、安全性をより一層向上できる。
【図面の簡単な説明】
【００１５】
【図１】実施形態に係る運転支援装置のブロック構成図である。
【図２】自車両が、交差点に進入する直前の様子の一例を示した図である。
【図３】運転支援装置での処理内容を示すフローチャートである。
【図４】速度領域演算部が、条件Ａを演算するためのモデル図である。
【図５】速度領域演算部が、条件Ｂを演算するためのモデル図である。
【図６】速度領域演算部が、条件Ｃを演算するためのモデル図である。
【図７】速度領域演算部が、条件Ｄを演算するためのモデル図である。
【図８】危険ゾーンを示すグラフである。
【図９】側方間隔を説明するための図である。
【図１０】死角進入地点での速度と、車両横位置の関係を示したマップの一例である。
【図１１】移動体情報設定部が移動体情報を設定する際に考慮する要素の一例を示す図である。
【図１２】演算した危険方向と運転者の注視方向に基づく制御パターンの一例を示す図である。
【図１３】前方監視処理の内容を示すフローチャートである。
【図１４】左右方向の注意度の演算方法の例を示す図である。
【図１５】グリッドマップの一例を示す図である。
【発明を実施するための形態】
【００１６】
以下、図面を参照して運転支援装置の実施形態について説明する。
【００１７】
図１は、実施形態に係る運転支援装置のブロック構成図である。図２は、自車両ＳＭが、交差点に進入する直前の様子の一例を示した図である。図２に示す交差点では、自車両ＳＭが走行する車線がＬＤ１で示され、当該車線ＬＤ１と交差する車線がＬＤ２で示されている。図２では、自車両ＳＭが走行する車線ＬＤ１が優先車線であるものとする。少なくとも車線ＬＤ１の両脇には壁や柵や建物などの構造物が設けられているものとする。このような交差点では、図１に示すように、自車両ＳＭの右側に死角ＤＥ１が形成され、自車両ＳＭの左側に死角ＤＥ２が形成される。自車両ＳＭ内の運転者ＤＰの視界は、右側のコーナーＰ１と左側のコーナーＰ２で遮られる。従って、右側の死角ＤＥ１は、右側のコーナーＰ１を通過する視線ＳＬ１より右側の領域に形成される。左側の死角ＤＥ２は、左側のコーナーＰ２を通過する視線ＳＬ２より左側の領域に形成される。運転支援装置１は、仮に死角ＤＥ１,２から移動体が飛び出してきたとしても、確実に衝突を避けることができるように、自車両ＳＭの運転支援を行う。なお、本実施形態では、死角ＤＥ１,２から飛び出す可能性がある移動体として、他車両ＲＭ，ＬＭを想定して説明する。
【００１８】
図１に示すように、運転支援装置１は、ＥＣＵ（Electronic Control Unit）２と、車両外部情報取得部３と、車両内部情報取得部４と、ナビゲーションシステム６と、情報記憶部７と、表示部８と、音声発生部９と、走行支援部１１と、を備えている。
【００１９】
車両外部情報取得部３は、自車両ＳＭ周辺の外部に関する情報を取得する機能を有している。具体的に、車両外部情報取得部３は、自車両ＳＭ周辺で死角を形成する構造物や、車や歩行者や自転車などの移動する物体や、交差点付近の白線や停止線など、各種情報を取得する機能を有している。車両外部情報取得部３は、例えば、自車両ＳＭ周辺の画像を取得するカメラや、ミリ波レーダ、レーザレーダなどによって構成されている。車両外部情報取得部３は、例えば、レーダによって車両周辺に存在するエッジを検出することで、車線両脇の構造物や車両などの物体を検出することができる。また、車両外部情報取得部３は、例えば、カメラで撮像した画像によって、自車両ＳＭ周辺の白線や歩行者や自転車を検出することができる。車両外部情報取得部３は、取得した車両外部情報をＥＣＵ２へ出力する。
【００２０】
車両内部情報取得部４は、自車両ＳＭの内部に関する情報を取得する機能を有している。具体的に、車両内部情報取得部４は、運転者ＤＰの自車両ＳＭ内における位置や、頭の向きや視線の方向などを検出することができる。車両内部情報取得部４は、例えば、運転席周辺に設けられ、運転者ＤＰを撮影するカメラなどによって構成されている。車両内部情報取得部４は、取得した車両内部情報をＥＣＵ２へ出力する。
【００２１】
ナビゲーションシステム６は、運転者ＤＰを案内するために、地図情報や道路情報や交通情報などの各種情報を備えている。ナビゲーションシステム６は、必要なタイミングにて所定の情報をＥＣＵ２へ出力する。情報記憶部７は、各種情報を記憶する機能を有しており、例えば、運転者ＤＰの過去の運転情報を記憶することができる。情報記憶部７は、必要なタイミングにて所定の情報をＥＣＵ２へ出力する。
【００２２】
表示部８、音声発生部９、及び走行支援部１１は、ＥＣＵ２からの制御信号に従って、運転者ＤＰの運転を支援する機能を有している。表示部８は、例えばモニタやヘッドアップディスプレイなどによって構成されており、運転支援のための情報を表示する機能を有している。音声発生部９は、スピーカーやブザーなどによって構成されており、運転支援のための音声やブザー音を発する機能を有している。走行支援部１１は、制動装置や駆動装置や操舵装置によって構成されており、目標速度まで減速する機能や目標横位置まで移動させる機能を有している。
【００２３】
ＥＣＵ２は、運転支援装置１全体の制御を行う電子制御ユニットであり、例えばＣＰＵを主体として構成され、ＲＯＭ、ＲＡＭ、入力信号回路、出力信号回路、電源回路などを備えている。ＥＣＵ２は、死角認識部２１、移動体情報設定部２２、速度領域演算部２３、目標速度演算部２４、目標横位置演算部２５、交通情報取得部２６、経験情報取得部２７、物体情報取得部２８、注視方向検出部２９、運転支援制御部３１、注意度演算部３２、左右配分量演算部３３、演算精度設定部３４、前方監視部（移動体検知部）３６、注意方向判断部３７、注意喚起レベル調整部３８を備えている。
【００２４】
死角認識部２１は、自車両ＳＭの進行方向における、運転者ＤＰからの死角を認識する機能を有している。死角認識部２１は、車両外部情報取得部３及び車両内部情報取得部４で取得した各種情報から、自車両ＳＭの位置、運転者ＤＰ、車線ＬＤ１,ＬＤ２の交差点（及び死角を形成する構造物）の位置などを取得し、それぞれの位置関係から死角を認識することができる。図２の例では、車線ＬＤ１における自車両ＳＭの位置と、自車両ＳＭ内における運転者ＤＰの位置が分かるため、死角認識部２１は、運転者ＤＰとコーナーＰ１,Ｐ２との位置関係に基づいて、死角ＤＥ１,ＤＥ２を認識することができる。
【００２５】
移動体情報設定部２２は、死角から飛び出して来る可能性のある移動体に関する移動体情報を設定する機能を有する。移動体情報は、例えば、移動体の想定速度と、想定位置と、想定サイズに関する情報を含んでいる。図２の例では、移動体情報設定部２２は、右側の死角ＤＥ１から飛び出す可能性がある他車両ＲＭと、左側の死角ＤＥ２から飛び出す可能性がある他車両ＬＭと、を移動体として予測している。これらの他車両ＲＭ,ＬＭは実際に検出されたものではなく、飛び出してくると仮定されたものである。移動体情報設定部２２は、これらの他車両ＲＭ,ＬＭの想定速度と、想定位置と、想定サイズとを設定する。これらの移動体情報の設定方法は特に限定されないが、詳細な例については後述する。
【００２６】
速度領域演算部２３は、移動体情報設定部２２で設定される移動体情報に基づいて、進行方向へ進んだ場合に自車両が移動体と接触する可能性がある、自車両の速度領域を演算する機能を有している。この速度領域は、自車両の速度と、死角を構成する場所における基準位置に対する自車両の距離との関係によって定められる。具体的には、図８に示すように、速度領域演算部２３は、自車両ＳＭの速度Ｖを縦軸とし、自車両ＳＭの死角進入地点までの距離Ｌを横軸とした座標に対して、飛び出してきた他車両との衝突の可能性が高い速度領域として、危険ゾーンＤＺを演算によって求める。自車両ＳＭが危険ゾーンＤＺに入るような速度及び位置（死角進入地点までの距離）で運転している場合、突然死角から他車両が飛び出してきたときに、交差点にて当該他車両と自車両ＳＭが衝突する可能性が高くなる。この危険ゾーンＤＺの演算方法については後述する。なお、危険ゾーンＤＺのグラフにおいてＬ＝０となる死角進入地点は、死角に対して任意に設定される基準位置である。すなわち、死角進入地点は、死角と自車両ＳＭとの距離を特定するために、死角を構成する場所（交差点）に設定された基準位置である。この基準位置は、演算のために設定されたものであるため、交差点に対してどのように設定してもよい。本実施形態において基準位置として設定されている死角進入地点は、死角から移動体が飛び出して来たときに自車両ＳＭと接触する可能性が生じるとみなされる位置と、移動体が飛び出して来ても自車両ＳＭと接触しないとみなされる位置との境界位置である。図２の例では、車線ＬＤ２の自車両ＳＭ側の縁部、すなわちコーナーＰ１とコーナーＰ２とを結んだ直線部分が、死角進入地点ＳＤＬとして設定されている。このような基準位置は、交差点での道路の形状や、死角を構成する構造物の配置、形状などに合わせて、どのように設定してもよい。
【００２７】
目標速度演算部２４は、速度領域演算部２３が演算した速度領域、すなわち危険ゾーンＤＺに基づいて、自車両ＳＭの目標速度を演算する機能を有している。具体的には、目標速度演算部２４は、危険ゾーンＤＺを避けるように、目標速度を設定する。目標速度演算部２４は、自車両ＳＭが死角進入地点ＳＤＬを通過するときに、危険ゾーンＤＺに入らないような速度を演算し、当該速度を目標速度として設定する。目標速度の設定方法については後述する。
【００２８】
目標横位置演算部２５は、速度領域演算部２３が演算した速度領域、すなわち危険ゾーンＤＺに基づいて、自車両ＳＭの目標横位置を演算する機能を有している。目標横位置演算部２５は、自車両ＳＭが死角進入地点ＳＤＬを通過するときに、安全性を高めることができる横位置を演算し、当該横位置を目標横位置として設定する。目標横位置の設定方法については後述する。
【００２９】
交通情報取得部２６は、死角を構成する道路、すなわち自車両ＳＭが進入しようとする交差点に関する交通情報を取得する機能を有している。交通情報取得部２６は、ナビゲーションシステム６や情報記憶部７から交通情報を取得することができる。交通情報は、例えば、相手側道路の平均交通量や、過去の事故件数・頻度、歩行者の交通量などを含んでいる。
【００３０】
経験情報取得部２７は、運転者ＤＰの過去の経験情報を取得する機能を有している。経験情報取得部２７は、情報記憶部７から情報を取得する。経験情報は、例えば、運転者ＤＰが対象の交差点を過去に通過したことがある回数、頻度、過去に通過してから経過した時間などを含んでいる。
【００３１】
物体情報取得部２８は、自車両ＳＭの周辺に存在する物体の挙動に関する物体情報を取得する機能を有している。物体として、相手側車線の移動体に影響を及ぼすものであれば特に限定されず、例えば、先行車両、対向車両、歩行者、オートバイ、自転車などが挙げられる。物体情報は、前述のような物体の位置や、大きさや、移動方向や、移動速度などの情報を含んでいる。物体情報取得部２８は、車両外部情報取得部３から物体情報を取得することができる。
【００３２】
注視方向検出部２９は、運転者ＤＰの注視方向を検出する機能を有している。注視方向検出部２９は、車両内部情報取得部４から情報を取得し、運転者ＤＰの顔の向きや視線の向きから注視方向を検出することができる。
【００３３】
運転支援制御部３１は、各種演算結果に基づいて、表示部８、音声発生部９、走行支援部１１に制御信号を送信することによって、運転支援を制御する機能を有している。運転支援制御部３１は、自車両ＳＭが目標速度や目標横位置にて交差点に進入するように、運転支援を行う機能を有している。詳細な支援方法は後述する。また、運転支援制御部３１は、死角が複数方向に存在する場合、速度領域演算部２３で演算された速度領域（危険ゾーンＤＺ）の形状に基づいて、危険度が高い危険方向を判定する機能を有している。また、運転支援制御部３１は、表示部８や音声発生部９を用いることにより、死角からの移動体の飛び出しが検知された場合に運転者ＤＰに対して注意喚起を行う機能を有している。また、運転支援制御部３１は、実際に移動体の飛び出しが検出される前に、注意度が高いと演算された方向に、運転者ＤＰの注意を向けるように注意喚起を行う機能を有している。運転支援制御部３１は、注意喚起レベル調整部３８の調整よって調整された注意喚起レベルに基づいて、注意喚起を行う機能を有している。
【００３４】
注意度演算部３２は、死角を構成する場所での左右方向の注意度を演算する機能を有している。注意度とは、自車両が死角を構成する場所に進入する際に、左側と右側のどちらを注意するべきかの度合いを示している。注意度演算部３２は、注意度として、死角を構成する場所での左右方向の見通し度を演算してもよい。また、注意度演算部３２は、注意度として、死角を構成する場所での左右方向の安全度を演算してもよい。注意度演算方法の詳細については後述する。
【００３５】
左右配分量演算部３３は、注意度演算部３２によって演算された注意度に基づいて、自車両ＳＭの前方の認識をするための演算（すなわち、死角点を認識するための演算や飛び出してくる移動体を認識するための演算）における、演算負荷の左右配分量を演算する機能を有している。左右配分量演算部３３は、左右方向のうち、注意度が高い側の演算負荷を、注意度が低い側の演算負荷に比して高く配分する。例えば、注意度演算部３２が、左側の方が注意度が高いと判断した場合、左右配分量演算部３３は、左側の演算負荷を多く配分する。注意度演算部３２が、右側の方か注意度が高いと判断した場合、左右配分量演算部３３は、右側の演算負荷を多く配分する。
【００３６】
演算精度設定部３４は、自車両ＳＭの前方を認識するための演算精度を設定する機能を有している。演算精度設定部３４は、左右配分量演算部３３によって演算された演算負荷の左右配分量に基づいて、すなわち注意度演算部３２によって演算された左右方向の注意度に基づいて、演算精度を調整する機能を有している。演算精度設定部３４は、左右配分量に従って左右方向の演算精度を設定することにより、左右方向のうち、注意度が高い側の演算精度を、注意度側が低い側の演算精度に比して高く設定する。認識のための演算精度の調整は、グリッドマップ間隔の調整（図１５参照）や、認識に利用するグリッドマップ内の情報量（精度、ＬＳＢ、メモリサイズなど）を調整することによって行われる。
【００３７】
前方監視部３６は、自車両ＳＭの前方を監視する機能を有している。すなわち、前方監視部３６は、自車両ＳＭの前方に存在する死角点や物体を認識することにより、死角からの移動体の飛び出しを検知することで、前方の監視を行う機能を有している。前方監視部３６は、演算精度設定部３４によって設定された左側演算精度及び右側演算精度に基づいて、前方の監視を行う。
【００３８】
注意方向判断部３７は、注意度演算部３２の演算結果に基づいて、左右方向において、どちらが注意度が高いと演算された方向であるかを判断する機能を有している。注意方向判断部３７は、注意度演算部３２により演算された注意度を参照することにより、又は当該注意度に基づいて演算された左右配分量を参照することにより、左側と右側のどちらが注意度の高い方向（運転者が注意を払うべき注意方向）であるかを判断する。
【００３９】
注意喚起レベル調整部３８は、運転支援制御部３１により行われる注意喚起処理の、注意喚起レベルを調整する機能を有している。注意喚起レベル調整部３８は、注意方向判断部３７の判断結果と、前方監視部３６によって検知された実際の移動体の飛び出し方向に基づいて、運転支援制御部３１が運転者に対して注意喚起を行う際の、注意喚起レベルを調整する機能を有している。注意喚起レベル調整部３８は、注意度演算部３２により注意度が低いと演算された方向からの移動体の飛び出しが検知された場合、注意度演算部３２により注意度が高いと演算された方向からの移動体の飛び出しが検知された場合に比して、注意喚起レベルを高くする。すなわち、注意方向判断部３７によって、左右方向のうち、どちらが注意を払うべき注意方向であるかを判断している状態において、移動体が判断通りの注意方向から飛び出して来た場合は、注意喚起レベル調整部３８は、通常の注意喚起レベルを設定する。一方、注意方向判断部３７が判断した注意方向とは異なる方向から移動体が飛び出して来た場合は、注意喚起レベル調整部３８は、通常の注意喚起レベルよりも高いレベルに調整する。
【００４０】
次に、図２〜図１５を参照して、運転支援装置１の具体的な制御処理について説明する。本実施形態においては、自車両ＳＭが図２に示すような交差点へ進入する状況における処理内容について説明する。図３は、運転支援装置１での処理内容を示すフローチャートである。この処理は、自車両の運転中に一定周期間隔で繰り返し実行される。
【００４１】
図３に示すように、ＥＣＵ２の死角認識部２１は、車両外部情報取得部３や車両内部情報取得部４からの情報に基づいて、死角を認識する（ステップＳ１００）。死角認識部２１は、車線ＬＤ１における自車両ＳＭの位置と、自車両ＳＭ内における運転者ＤＰの位置を把握し、進行方向で死角を構成する構造物の位置を把握する。死角認識部２１は、運転者ＤＰとコーナーＰ１,Ｐ２との位置関係に基づいて、死角ＤＥ１,ＤＥ２を認識することができる。なお、図２では、自車両ＳＭの車幅方向の大きさはＢ、前後方向の大きさはＡで示される（この自車両ＳＭのサイズは、予め記憶しておいてよい）。自車両ＳＭの横位置は、中心線を基準にした場合、車線ＬＤ１内での左側の側方間隔がＷ１と示され、右側の側方間隔がＷ２と示される。また、自車両ＳＭの前端と死角進入地点ＳＤＬとの距離がＬと示される。自車両ＳＭ内の運転者ＤＰの位置は、自車両ＳＭの中心線からの幅方向の距離がＢＤと示され、前端からの前後方向の距離がＡＤと示される。運転者ＤＰの位置が特定されることで、右側のコーナーＰ１を通過する視線ＳＬ１が特定されて死角ＤＥ１が特定されると共に、左側のコーナーＰ２を通過する視線ＳＬ２が特定されて死角ＤＥ２が特定される。なお、自車両ＳＭの位置（Ｌ、Ｗ１、Ｗ２）によって死角ＤＥ１,２の範囲は変更されるが、死角認識部２１は、運転者ＤＰとコーナーＰ１,Ｐ２との位置関係から、直ちに演算によって死角ＤＥ１,２の範囲を特定することができる。
【００４２】
死角認識部２１は、Ｓ１００で認識した死角ＤＥ１，２に基づいて、現在の自車両ＳＭの位置から死角ＤＥ１，２までの距離（または死角進入地点ＳＤＬまでの距離）が、所定の閾値ＴＬ以下であるか否かを判定する（ステップＳ１０５）。Ｓ１０５において、死角認識部２１によって距離が閾値ＴＬより大きいと判定されると、図３に示す処理は終了し、再びＳ１００から処理を繰り返す。Ｓ１００で死角を認識することができなかった場合も同様である。一方、死角認識部２１によって距離が閾値ＴＬ以下であると判定されると、ステップＳ１１０の処理へ移行する。
【００４３】
移動体情報設定部２２は、死角ＤＥ１,２から飛び出して来る可能性のある移動体を予測し、当該移動体に関する移動体情報を設定する（ステップＳ１１０）。図２では、移動体情報設定部２２は、他車両ＲＭが右側の死角ＤＥ１から飛び出す可能性があると予測し、他車両ＬＭが左側の死角ＤＥ２から飛び出す可能性があると予測している。移動体情報設定部２２は、移動体情報として、これらの他車両ＲＭ,ＬＭの想定速度と、想定位置と、想定サイズとを設定する。ここでは、移動体情報設定部２２は、他車両ＲＭの想定速度ＶＲ、他車両ＲＭの車幅方向の想定サイズＢＲ、前後方向の想定サイズＡＲを設定している。移動体情報設定部２２は、他車両ＲＭの想定横位置ＷＲを設定している。なお、ここでの想定横位置は、他車両ＲＭの中心線を基準にしたときの、進行方向左側の側方間隔である。移動体情報設定部２２は、他車両ＲＭの進行方向における想定位置として、最も早く死角ＤＥ１から飛び出る位置に設定する。すなわち、他車両ＲＭの右前の角部Ｐ３が視線ＳＬ１上に来る位置が想定位置として設定される。移動体情報設定部２２は、他車両ＬＭの想定速度ＶＬ、他車両ＬＭの車幅方向の想定サイズＢＬ、前後方向の想定サイズＡＬを設定している。移動体情報設定部２２は、他車両ＬＭの想定横位置ＷＬを設定している。なお、ここでの想定横位置は、他車両ＬＭの中心線を基準にしたときの、進行方向右側の側方間隔である。移動体情報設定部２２は、他車両ＬＭの進行方向における想定位置として、最も早く死角ＤＥ２から飛び出る位置に設定する。すなわち、他車両ＬＭの左前の角部Ｐ４が視線ＳＬ２上に来る位置が想定位置として設定される。
【００４４】
想定速度の設定方法は特に限定されず、例えば、相手側の車線ＬＤ２の車線幅などを考慮して、当該道路での法定速度が想定速度として設定されてもよく、過去の統計に基づいた平均的な進入車両速度が想定速度として設定されてもよく、自車両ＳＭと同じ速度が想定速度として設定されてもよい。想定位置（想定横位置）の設定方法も特に限定されず、例えば、走行レーンの中心位置が想定位置として設定されてもよく、過去の統計に基づいた平均的な進入車両位置が想定位置として設定されてもよく、自車両ＳＭと同じ位置が想定位置として設定されてもよい。また、他車両の想定サイズの設定方法も特に限定されず、例えば、予め一般的な車両サイズとして準備していたデータが想定サイズとして設定されてもよく、一般乗用車の平均サイズが想定サイズとして設定されてもよく、自車両ＳＭと同じサイズが想定サイズとして設定されてもよい。
【００４５】
また、移動体情報設定部２２は、死角ＤＥ１,２を構成する道路の形状（すなわち交差点の形状）に基づいて、移動体情報を設定してもよい。例えば、図１１（ａ）に示すようなＴ字路の場合、他車両は、右折か左折しか行わないため、直進する場合に比して、速度を大幅に下げることが予測される。また、十字路の場合は左右からの他車両の飛び出しを予測する必要があるが、Ｔ字路の場合は一方の車線ＬＤ３からの飛び出しのみ予測すればよい。従って、移動体情報設定部２２は、進入する交差点がＴ字路であった場合、他車両の想定速度や想定位置を、十字路の場合から変更して設定することができる。運転支援装置１は、道路の形状を考慮することで、一層精度の高い運転支援を行うことができる。なお、移動体情報設定部２２は、道路の形状に関する情報を、車両外部情報取得部３で直接検知することで取得してもよく、ナビゲーションシステム６から取得してもよい。
【００４６】
また、移動体情報設定部２２は、他車両側の車線幅と、自車両側の車線幅との比に基づいて、移動体情報を設定してもよい。例えば、自車両側の優先道路が大きな道路で、相手側が小さい道路であった場合、相手側の車両は、減速せずに交差点に進入することを躊躇する。一方、自車両側と相手側の道路の大きさが同じであった場合、あるいは相手側の道路の方が大きい場合、相手側の車両は減速せずに交差点に進入する傾向にある。従って、移動体情報設定部２２は、図１１（ｂ）に示すようなマップに基づいて、他車両側の車線幅と、自車両側の車線幅との比を考慮して他車両の想定速度を設定する。このように各車線幅の比を考慮することで、運転支援装置１は、運転者の感覚、及び実際の移動体の飛び出し速度に一層適合した運転支援を行うことができる。
【００４７】
また、移動体情報設定部２２は、死角ＤＥ１,２の周辺環境に基づいて、移動体情報を設定してもよい。すなわち、移動体情報設定部１２は、交差点の形状のみならず、死角ＤＥ１,２の周辺環境に基づいて、他車両の移動情報を設定する。例えば、交差点にカーブミラーがあった場合は、他車両の速度は低下すると判断できる。また、相手側の他車両の車線の停止線が交差点に近く、自車両から見える場合、他車両の減速ポイントが遅いと判断できる。この場合、他車両が交差点近くにならなくては減速を行わず、結果的に交差点進入速度が高くなると判断できる。一方、相手側の他車両の車線の停止線が交差点から遠く、自車両から見えない位置にある場合、他車両の減速ポイントが早いと判断できる。この場合、他車両が早い段階で減速を行うことで、結果的に交差点進入速度が低くなると判断できる。また、例えば、優先車線である自車両側の車線ＬＤ１の両脇に路側帯などの白線が延びており、相手側の車線ＬＤ２の部分でも途切れることなく延びている場合、相手側の他車両は、減速する傾向にある。移動体情報設定部２２は、以上のように、他車両の挙動に影響を与えるような周辺環境に基づいて、移動体情報を設定してもよい。このように死角の周辺環境を考慮することにより、運転支援装置１は、運転者の感覚に一層適合した運転支援を行うことができる。
【００４８】
また、移動体情報設定部２２は、交通情報取得部２６で取得した交通情報に基づいて、移動体情報を設定してもよい。例えば、相手側道路の平均交通量や、過去の事故件数・頻度などが高い交差点では、特に注意が必要なため、移動体情報を厳しく設定する必要が生じる。また、歩行者の交通量などが高い交差点では、相手側の他車両の速度は遅くなる傾向にある。移動体情報設定部２２は、以上のような交通情報の影響を考慮して、移動体情報を設定してもよい。このように死角周辺の情報だけでは知り得ない交通情報を考慮することで、本当に危険度が高い死角道路を通過する際に、運転支援装置１は、安全性をより一層向上できる有効な運転支援を行うことが可能となる。
【００４９】
また、移動体情報設定部２２は、経験情報取得部２７で取得した経験情報に基づいて、移動体情報を設定してもよい。例えば、運転者ＤＰが対象の交差点を過去に通過したことがある回数・頻度が低い場合、運転者ＤＰに注意させるために移動体情報を厳しく設定する。また、過去に通過してから経過した時間が長い場合も、移動体情報を厳しく設定する。移動体情報設定部２２は、以上のような経験情報の影響を考慮して、移動体情報を設定してもよい。このように運転者の過去の経験情報を利用することで、運転支援装置１は、運転者の経験に適合した運転支援を行うことができる。
【００５０】
また、物体情報取得部２８で取得した物体情報に基づいて、移動体情報を設定してもよい。例えば、先行車両、対向車両、歩行者、オートバイ、自転車などの物体が、自車両ＳＭよりも所定時間早く死角進入地点に進入する（または進入が予測できる）場合、相手側の他車両は減速する。移動体情報設定部２２は、周辺の物体の挙動を考慮して、移動体情報を設定してもよい。自車両周辺の物体の挙動は、飛び出して来る移動体の速度等にも影響を与えるが、このような情報を考慮することで、運転支援装置１は、より実態に適合した運転支援を行うことができる。
【００５１】
次に、速度領域演算部２３は、Ｓ１１０で設定された移動体情報に基づいて、危険ゾーンを演算する（ステップＳ１２０）。速度領域演算部２３は、移動体が死角から飛び出してきたとしても、当該移動体と衝突することなく交差点を通過することができる条件を演算することによって、危険ゾーンを演算する。具体的に、速度領域演算部２３は、「条件Ａ：右側の死角ＤＥ１から飛び出してくる他車両ＲＭに対し、自車両ＳＭが先に通過できる条件」、「条件Ｂ：右側の死角ＤＥ１から飛び出してくる他車両ＲＭに対し、他車両ＲＭが先に通過できる条件」、「条件Ｃ：左側の死角ＤＥ２から飛び出してくる他車両ＬＭに対し、自車両ＳＭが先に通過できる条件」、「条件Ｄ：左側の死角ＤＥ２から飛び出してくる他車両ＬＭに対し、他車両ＬＭが先に通過できる条件」を演算する。ここでは、図８の座標の縦軸である自車両ＳＭの速度Ｖと、横軸である自車両ＳＭの死角進入地点までの距離Ｌが変数である。なお、以下の説明において、自車両ＳＭは一定の速度Ｖで直進走行し、他車両ＲＭは一定の想定速度ＶＲで直進走行するものとし、途中で速度や横位置は変化しないものとする。また、以下の説明で「前」「後」「右」「左」とは、各車両の進行方向を基準にしている。
【００５２】
〈条件Ａ〉
図４は、条件Ａを演算するためのモデル図である。図４（ａ）には、他車両ＲＭの右前角部と自車両ＳＭの右後角部とが重なるポイントＰＡが示されている。そのときの自車両ＳＭの位置がＳＭＡで示され、他車両ＲＭの位置がＲＭＡで示される。図４（ａ）より、自車両ＳＭが位置ＳＭＡまで移動する距離は、（Ｌ＋ＷＲ＋ＢＲ／２＋Ａ）となる。一方、他車両ＲＭが位置ＲＭＡまで移動する距離はＬＲで示される。
【００５３】
ここで、距離ＬＲが未知数であるが、運転者ＤＰとコーナーＰ１の位置関係から描かれる直角三角形と、運転者ＤＰと角部Ｐ３の位置関係から描かれる直角三角形とが、相似の関係である。従って、図４（ｂ）に示す寸法関係から、式（１Ａ）の関係が成り立つ。式（１Ａ）を展開して式（２Ａ）とすることで、距離ＬＲが式（３Ａ）で表される。他車両ＲＭが位置ＲＭＡに到達する時間をｔＲ＿Ａとすると、時間ｔＲ＿Ａは、距離ＬＲを用いて式（４Ａ）のように示される。ここで、条件Ａでは、他車両ＲＭが位置ＲＭＡに到達する時点（時間ｔＲ＿Ａ経過した時点）で、自車両ＳＭの移動距離が、位置ＳＭＡまでの移動距離以上であればよい。すなわち、自車両ＳＭの速度Ｖが、時間ｔＲ＿Ａ経過後に位置ＳＭＡへ到達する速度以上であればよい。以上より、条件Ａを満たす速度をＶＡとした場合、速度ＶＡは、式（５Ａ）のように表される。
【００５４】
ＬＲ＋（Ｂ／２  −  ＢＤ）：Ｗ２−ＢＤ
＝  Ｌ＋ＡＤ＋ＷＲ＋ＢＲ／２：Ｌ＋ＡＤ    …（１Ａ）
（ＬＲ＋Ｂ／２  −  ＢＤ）（Ｌ＋ＡＤ）  
＝  （Ｗ２−ＢＤ）（Ｌ＋ＡＤ＋ＷＲ＋ＢＲ／２）    …（２Ａ）
ＬＲ  ＝  ｛（Ｗ２−ＢＤ）（Ｌ＋ＡＤ＋ＷＲ＋ＢＲ／２）
−（Ｂ／２  −  ＢＤ）（Ｌ＋ＡＤ）｝  ／  （Ｌ＋ＡＤ）  …（３Ａ）
ｔＲ＿Ａ  ＝  ＬＲ／ＶＲ    …（４Ａ）
ＶＡ  ≧  （Ａ＋Ｌ＋ＷＲ＋ＢＲ／２）／ｔＲ＿Ａ    …（５Ａ）
【００５５】
速度領域演算部２３は、図８に示す座標において、条件Ａを満たす領域を特定する。具体的に、速度領域演算部２３は、上記式（３Ａ）、（４Ａ）、（５Ａ）を用いて、ｍｉｎ（ＶＡ）を示すグラフＡを描く。速度領域演算部２３は、ｍｉｎ（ＶＡ）以上の速度領域を、条件Ａを満たす領域として特定する。
【００５６】
〈条件Ｂ〉
図５は、条件Ｂを演算するためのモデル図である。図５（ａ）には、他車両ＲＭの左後角部と自車両ＳＭの左前角部とが重なるポイントＰＢが示されている。そのときの自車両ＳＭの位置がＳＭＢで示され、他車両ＲＭの位置がＲＭＢで示される。図５（ａ）より、自車両ＳＭが位置ＳＭＢまで移動する距離は、（Ｌ＋ＷＲ−ＢＲ／２）となる。一方、他車両ＲＭが位置ＲＭＢまで移動する距離はＬＲで示される。
【００５７】
ここで、距離ＬＲが未知数であるが、運転者ＤＰとコーナーＰ１の位置関係から描かれる直角三角形と、運転者ＤＰと角部Ｐ３の位置関係から描かれる直角三角形とが、相似の関係である。従って、図５（ｂ）に示す寸法関係から、式（１Ｂ）の関係が成り立つ。式（１Ｂ）を展開して式（２Ｂ）とすることで、距離ＬＲが式（３Ｂ）で表される。他車両ＲＭが位置ＲＭＢに到達する時間をｔＲ＿Ｂとすると、時間ｔＲ＿Ｂは、距離ＬＲを用いて式（４Ｂ）のように示される。ここで、条件Ｂでは、他車両ＲＭが位置ＲＭＢに到達する時点（時間ｔＲ＿Ｂ経過した時点）で、自車両ＳＭの移動距離が、位置ＳＭＢまでの移動距離以下であればよい。すなわち、自車両ＳＭの速度Ｖが、時間ｔＲ＿Ｂ経過後に位置ＳＭＢへ到達する速度以下であればよい。以上より、条件Ｂを満たす速度をＶＢとした場合、速度ＶＢは、式（５Ｂ）のように表される。
【００５８】
ＬＲ＋（ＡＲ＋Ｂ／２  ＋ＢＤ）：Ｗ２−ＢＤ
＝  Ｌ＋ＡＤ＋ＷＲ＋ＢＲ／２：Ｌ＋ＡＤ    …（１Ｂ）
｛ＬＲ−（ＡＲ＋Ｂ／２  ＋ＢＤ）｝（Ｌ＋ＡＤ）  
＝  （Ｗ２−ＢＤ）（Ｌ＋ＡＤ＋ＷＲ＋ＢＲ／２）    …（２Ｂ）
ＬＲ  ＝  ｛（Ｗ２−ＢＤ）（Ｌ＋ＡＤ＋ＷＲ＋ＢＲ／２）
＋（ＡＲ＋Ｂ／２  ＋ＢＤ）（Ｌ＋ＡＤ）｝  ／  （Ｌ＋ＡＤ）    …（３Ｂ）
ｔＲ＿Ｂ  ＝  ＬＲ／ＶＲ    …（４Ｂ）
ＶＢ  ≦  （Ｌ＋ＷＲ−ＢＲ／２）／ｔＲ＿Ｂ    …（５Ｂ）
【００５９】
速度領域演算部２３は、図８に示す座標において、条件Ｂを満たす領域を特定する。具体的に、速度領域演算部２３は、上記式（３Ｂ）、（４Ｂ）、（５Ｂ）を用いて、ｍａｘ（ＶＢ）を示すグラフＢを描く。速度領域演算部２３は、ｍａｘ（ＶＢ）以下の速度領域を、条件Ｂを満たす領域として特定する。
【００６０】
〈条件Ｃ〉
図６は、条件Ｃを演算するためのモデル図である。図６（ａ）には、他車両ＬＭの左前角部と自車両ＳＭの左後角部とが重なるポイントＰＣが示されている。そのときの自車両ＳＭの位置がＳＭＣで示され、他車両ＬＭの位置がＬＭＣで示される。図６（ａ）より、自車両ＳＭが位置ＳＭＣまで移動する距離は、（Ｌ＋ＷＬ＋ＢＬ／２＋Ａ）となる。一方、他車両ＬＭが位置ＬＭＣまで移動する距離はＬＬで示される。
【００６１】
ここで、距離ＬＬが未知数であるが、運転者ＤＰとコーナーＰ２の位置関係から描かれる直角三角形と、運転者ＤＰと角部Ｐ４の位置関係から描かれる直角三角形とが、相似の関係である。従って、図６（ｂ）に示す寸法関係から、式（１Ｃ）の関係が成り立つ。式（１Ｃ）を展開して式（２Ｃ）とすることで、距離ＬＬが式（３Ｃ）で表される。他車両ＬＭが位置ＬＭＣに到達する時間をｔＬ＿Ｃとすると、時間ｔＬ＿Ｃは、距離ＬＬを用いて式（４Ｃ）のように示される。ここで、条件Ｃでは、他車両ＬＭが位置ＬＭＣに到達する時点（時間ｔＬ＿Ｃ経過した時点）で、自車両ＳＭの移動距離が、位置ＳＭＣまでの移動距離以上であればよい。すなわち、自車両ＳＭの速度Ｖが、時間ｔＬ＿Ｃ経過後に位置ＳＭＣへ到達する速度以上であればよい。以上より、条件Ｃを満たす速度をＶＣとした場合、速度ＶＣは、式（５Ｃ）のように表される。
【００６２】
ＬＬ＋Ｂ／２  ＋  ＢＤ：Ｗ１−ＢＤ
＝  Ｌ＋ＡＤ＋ＷＬ＋ＢＬ／２：Ｌ＋ＡＤ    …（１Ｃ）
（ＬＬ＋Ｂ／２  ＋  ＢＤ）（Ｌ＋ＡＤ）  
＝  （Ｗ１＋ＢＤ）（Ｌ＋ＡＤ＋ＷＬ＋ＢＬ／２）    …（２Ｃ）
ＬＬ  ＝  ｛（Ｗ１＋ＢＤ）（Ｌ＋ＡＤ＋ＷＬ＋ＢＬ／２）
−（Ｂ／２  ＋ＢＤ）（Ｌ＋ＡＤ）｝  ／  （Ｌ＋ＡＤ）    …（３Ｃ）
ｔＬ＿Ｃ  ＝  ＬＬ／ＶＬ    …（４Ｃ）
ＶＣ  ≧  （Ａ＋Ｌ＋ＷＬ＋ＢＬ／２）／ｔＬ＿Ｃ    …（５Ｃ）
【００６３】
速度領域演算部２３は、図８に示す座標において、条件Ｃを満たす領域を特定する。具体的に、速度領域演算部２３は、上記式（３Ｃ）、（４Ｃ）、（５Ｃ）を用いて、ｍｉｎ（ＶＣ）を示すグラフＣを描く。速度領域演算部２３は、ｍｉｎ（ＶＣ）以上の速度領域を、条件Ｃを満たす領域として特定する。
【００６４】
〈条件Ｄ〉
図７は、条件Ｄを演算するためのモデル図である。図７（ａ）には、他車両ＬＭの右後角部と自車両ＳＭの右前角部とが重なるポイントＰＤが示されている。そのときの自車両ＳＭの位置がＳＭＤで示され、他車両ＬＭの位置がＬＭＤで示される。図７（ａ）より、自車両ＳＭが位置ＳＭＤまで移動する距離は、（Ｌ＋ＷＬ−ＢＬ／２）となる。一方、他車両ＬＭが位置ＬＭＤまで移動する距離はＬＬで示される。
【００６５】
ここで、距離ＬＬが未知数であるが、運転者ＤＰとコーナーＰ２の位置関係から描かれる直角三角形と、運転者ＤＰと角部Ｐ４の位置関係から描かれる直角三角形とが、相似の関係である。従って、図７（ｂ）に示す寸法関係から、式（１Ｄ）の関係が成り立つ。式（１Ｄ）を展開して式（２Ｄ）とすることで、距離ＬＬが式（３Ｄ）で表される。他車両ＬＭが位置ＬＭＤに到達する時間をｔＬ＿Ｄとすると、時間ｔＬ＿Ｄは、距離ＬＬを用いて式（４Ｄ）のように示される。ここで、条件Ｄでは、他車両ＬＭが位置ＬＭＤに到達する時点（時間ｔＬ＿Ｄ経過した時点）で、自車両ＳＭの移動距離が、位置ＳＭＤまでの移動距離以下であればよい。すなわち、自車両ＳＭの速度Ｖが、時間ｔＬ＿Ｄ経過後に位置ＳＭＤへ到達する速度以下であればよい。以上より、条件Ｄを満たす速度をＶＤとした場合、速度ＶＤは、式（５Ｄ）のように表される。
【００６６】
ＬＬ−（ＡＬ＋Ｂ／２  −ＢＤ）：Ｗ２＋ＢＤ
＝  Ｌ＋ＡＤ＋ＷＬ＋ＢＬ／２：Ｌ＋ＡＤ    …（１Ｄ）
｛ＬＬ−（ＡＬ＋Ｂ／２  −ＢＤ）｝（Ｌ＋ＡＤ）  
＝  （Ｗ１＋ＢＤ）（Ｌ＋ＡＤ＋ＷＬ＋ＢＬ／２）    …（２Ｄ）
ＬＬ  ＝  ｛（Ｗ１＋ＢＤ）（Ｌ＋ＡＤ＋ＷＬ＋ＢＬ／２）
＋（ＡＬ＋Ｂ／２  −ＢＤ）（Ｌ＋ＡＤ）｝  ／  （Ｌ＋ＡＤ）    …（３Ｄ）
ｔＬ＿Ｄ  ＝  ＬＬ／ＶＬ    …（４Ｄ）
ＶＤ  ≦  （Ｌ＋ＷＬ−ＢＬ／２）／ｔＬ＿Ｄ    …（５Ｄ）
【００６７】
速度領域演算部２３は、図８に示す座標において、条件Ｄを満たす領域を特定する。具体的に、速度領域演算部２３は、上記式（３Ｄ）、（４Ｄ）、（５Ｄ）を用いて、ｍａｘ（ＶＤ）を示すグラフＤを描く。速度領域演算部２３は、ｍａｘ（ＶＤ）以下の速度領域を、条件Ｄを満たす領域として特定する。
【００６８】
以上の演算に基づき、速度領域演算部２３は、図８に示すように、ｍａｘ（ＶＢ，ＶＤ）＜Ｖ＜ｍｉｎ（ＶＡ，ＶＣ）の速度領域を危険ゾーンＤＺとして設定する。なお、実際の演算上ではグラフＡ〜Ｄは曲線になるが、理解を容易にするために概念図である図８ではグラフＡ〜Ｄを直線として示している。
【００６９】
ここで、危険ゾーンＤＺについて説明する。自車両ＳＭが所定の距離Ｌの位置に到達した時点で、自車両ＳＭの速度Ｖが危険ゾーンＤＺに入っていると仮定する。この状態で、次の瞬間に死角ＤＥ１，２より他車両ＲＭ，ＬＭが飛び出してきたとき、自車両ＳＭが当該速度Ｖにて一定速度、一定横位置にて走行すると、自車両ＳＭが他車両ＲＭ，ＬＭと接触する可能性がある。万が一他車両ＲＭ，ＬＭが飛び出してきた場合に、自車両ＳＭが急ブレーキや急操舵を行う必要が生じてしまう。すなわち、自車両ＳＭの速度条件が危険ゾーンＤＺ内に入っている場合、万が一次の瞬間、死角ＤＥ１，２より他車両ＲＭ，ＬＭが飛び出して来たときに衝突の可能性が生じる。従って、自車両ＳＭは、危険ゾーンＤＺを避けて走行することが好ましい。
【００７０】
具体的に、図８に示すように、距離ＬＳの時点で、自車両の速度がＶ１，Ｖ２，Ｖ３であった場合について説明する。速度Ｖ１はｍｉｎ（ＶＡ，ＶＣ）よりも速い速度であるため、次の瞬間に他車両ＲＭ，ＬＭが飛び出してきても、自車両ＳＭはそれらの他車両より先に交差点を通過できる。速度Ｖ２は危険ゾーンＤＺに入っているため、次の瞬間に他車両ＲＭ，ＬＭが飛び出してきた場合、（急ブレーキや急操舵をしなかったとき）自車両ＳＭが他車両ＲＭ，ＬＭと接触する可能性がある。速度Ｖ３はｍａｘ（ＶＢ，ＶＤ）より遅い速度であるため、次の瞬間に他車両ＲＭ，ＬＭが飛び出してきても、自車両ＳＭはそれらの他車両をやり過ごした後に交差点を通過できる。しかし、自車両が速度Ｖ３で走行を続け死角進入地点に近づいた場合（Ｌが０に近づいた場合）、速度Ｖ３は危険ゾーンＤＺに入る。
【００７１】
次に、目標横位置演算部２５は、Ｓ１２０で演算された危険ゾーンＤＺに基づいて、自車両ＳＭの目標横位置を演算する（ステップＳ１３０）。図９に示すように、道路は一定の幅を有しており、左側の側方間隔Ｗ１と右側の側方間隔Ｗ２は、自車両ＳＭの横位置によって異なる。例えば、左側の側方間隔Ｗ１が小さい場合、左側の死角ＤＥ２が大きくなり、右側の側方間隔Ｗ２が小さい場合、右側の死角ＤＥ１が大きくなる。すなわち、自車両ＳＭの横位置は、安全性に影響を及ぼす。Ｓ１３０では、目標横位置演算部２５は、安全性を高めることができる目標側方間隔Ｗ１ｔａｒｇｅｔを演算する。目標側方間隔Ｗ１ｔａｒｇｅｔは、死角進入地点（Ｌ＝０）での自車両ＳＭの目標横位置である。
【００７２】
Ｓ１３０の処理を行う場合、速度領域演算部２３は、予め複数パターンの側方間隔（Ｗ１，Ｗ２）についての危険ゾーンＤＺを演算しておき、マップとして保持しておく。なお、速度領域演算部２３は、演算時における実際の自車両ＳＭの位置とは異なる位置条件であっても、演算によって死角ＤＥ１，２を特定できるため、複数パターンの側方間隔（Ｗ１，Ｗ２）についての危険ゾーンＤＺを演算することができる。
【００７３】
マップの一例を図１０に示す。このマップは、危険ゾーンＤＺのうち、死角進入地点（Ｌ＝０）での速度を抽出し、側方間隔（Ｗ１，Ｗ２）の各パターンと対応付けたものである。図中のＡは、Ｌ＝０におけるｍｉｎ（ＶＡ）と、側方間隔（Ｗ１，Ｗ２）との関係を示している。図中のＢは、Ｌ＝０におけるｍａｘ（ＶＢ）と、側方間隔（Ｗ１，Ｗ２）との関係を示している。図中のＣは、Ｌ＝０におけるｍｉｎ（ＶＣ）と、側方間隔（Ｗ１，Ｗ２）との関係を示している。図中のＤは、Ｌ＝０におけるｍａｘ（ＶＤ）と、側方間隔（Ｗ１，Ｗ２）との関係を示している。横位置が左寄り（Ｗ１が小さい）になると、左側からの他車両ＬＭが見難くなるため、ｍｉｎ（ＶＣ）が大きくなる。横位置が右寄り（Ｗ２が小さい）になると、右側からの他車両ＲＭが見難くなるため、ｍｉｎ（ＶＡ）が大きくなる。当該マップでの危険ゾーンの下限値（危険ゾーンよりも遅い速度における最大値）は、ｍｘａ（ＶＢ）とｍａｘ（ＶＤ）のうち、いずれか小さいほうが既定する。図１０では、どの側方間隔においても、ｍａｘ（ＶＢ）が下限値を設定している。当該マップでの危険ゾーンの上限値（危険ゾーンよりも高い速度における最小値）は、ｍｉｎ（ＶＡ）とｍｉｎ（ＶＣ）のうち、いずれか大きいほうが既定する。図１０では、側方間隔（Ｗ１，Ｗ２）＝（４．５，１．５）を境として、左寄りの領域ではｍｉｎ（ＶＣ）が上限値を設定し、右寄りの領域ではｍｉｎ（ＶＡ）が上限値を設定している。
【００７４】
目標横位置演算部２５は、図１０のようなマップに基づいて、最適な目標横位置を設定する。例えば、目標横位置演算部２５は、危険ゾーンの下限値がもっとも大きくなるときの側方間隔を目標側方間隔Ｗ１ｔａｒｇｅｔとして設定する。図１０の例では、側方間隔（Ｗ１，Ｗ２）＝（４．５，１．５）で、ｍａｘ（ＶＢ）がもっとも大きくなる。または、目標横位置演算部２５は、下限値と上限値の差がもっとも小さくなるときの側方間隔を目標側方間隔Ｗ１ｔａｒｇｅｔとして設定する。図１０の例では、ｍｉｎ（ＶＡ）とｍｉｎ（ＶＣ）とが交差する位置である側方間隔（Ｗ１，Ｗ２）＝（２．５，３．５）で、上限値と下限値の差がもっとも小さくなっている。
【００７５】
次に、目標速度演算部２４は、Ｓ１２０で演算した危険ゾーンＤＺに基づいて、自車両ＳＭの目標速度Ｖｔａｒｇｅｔを演算する（ステップＳ１４０）。目標速度演算部２４は、距離Ｌによらず、危険ゾーンＤＺを避けることができるような速度を目標速度Ｖｔａｒｇｅｔとして設定する。ここでは、目標速度演算部２４は、危険ゾーンの下限値（危険ゾーンよりも低い速度における最大値）、すなわちＬ＝０におけるｍａｘ（ＶＢ）とｍａｘ（ＶＤ）の値のうち、いずれか小さい方を目標速度Ｖｔａｒｇｅｔとして設定する。図８では、Ｌ＝０におけるｍａｘ（ＶＢ）が下限値を設定しているため、目標速度Ｖｔａｒｇｅｔとして設定される。このとき、Ｌ＝０での危険ゾーンＤＺの速度範囲よりも低ければよく、ｍａｘ（ＶＢ）より低い値を目標速度Ｖｔａｒｇｅｔとして設定してもよい。なお、Ｓ１３０にて目標横位置を設定した場合、目標速度演算部２４は、当該目標横位置に対応する危険ゾーンＤＺを用いて目標速度Ｖｔａｒｇｅｔを演算する。
【００７６】
次に、運転支援制御部３１は、Ｓ１３０で演算した目標横位置及びＳ１４０で演算した目標速度と、実際の自車両ＳＭの横位置及び速度に基づいて、運転支援の要否を判断する（ステップＳ１５０）。具体的に、運転支援制御部３１は、現在の自車両ＳＭの側方間隔Ｗ１ｎｏｗが目標側方間隔Ｗ１ｔａｒｇｅｔと異なっている（差が所定の閾値より大きい）か否かを判定する。運転支援制御部３１は、同じであると判定した場合、横位置調整のための運転支援は不要であると判断し、異なっていると判定した場合、横位置調整のための運転支援が必要であると判断する。また、運転支援制御部３１は、現在の自車両ＳＭの速度Ｖｎｏｗが目標速度Ｖｔａｒｇｅｔよりも大きいか否かを判定する。運転支援制御部３１は、速度Ｖｎｏｗが目標速度Ｖｔａｒｇｅｔ以下であると判定した場合、速度調整のための運転支援は不要であると判断し、速度Ｖｎｏｗが目標速度Ｖｔａｒｇｅｔより大きいと判定した場合、速度調整のための運転支援が必要であると判断する。Ｓ１５０において、いずれの運転支援も不要であると判断された場合、図３に示す制御処理は終了する。一方、少なくとも一方の処理が必要であると判断された場合、ステップＳ１６０へ移行する。例えば図８に示す速度Ｖｎｏｗは、死角進入地点に近づいたときに危険ゾーンＤＺに入るため、運転支援が必要となる。
【００７７】
運転支援制御部３１は、Ｓ１５０での判定結果に基づいて、自車両ＳＭを目標横位置へ移動させるための運転支援、及び自車両ＳＭの速度を目標速度とするための運転支援を行う（ステップＳ１６０）。例えば、運転支援制御部３１は、走行支援部１１を制御することによって、強制的に目標速度Ｖｔａｒｇｅｔまで減速してもよい。なお、このとき、図８に示すように、速度Ｖｎｏｗから目標速度Ｖｔａｒｇｅｔまで至る過程においても、危険ゾーンＤＺを避けるような減速経路を設定することが好ましい。あるいは、運転支援制御部３１は、表示部８や音声発生部９で運転者ＤＰに対して目標速度Ｖｔａｒｇｅｔまで減速する旨の通知を行ってもよい。運転支援制御部３１は、走行支援部１１を制御することによって、強制的に目標側方間隔Ｗ１ｔａｒｇｅｔへ自車両ＳＭを移動させてもよい。あるいは、運転支援制御部３１は、表示部８や音声発生部９で運転者ＤＰに対して目標側方間隔Ｗ１ｔａｒｇｅｔまで移動する旨の通知を行ってもよい。なお、速度及び横位置に関する運転支援として、強制的な運転支援と通知による運転支援のいずれか一方のみを行ってもよく、同時に行ってもよい。また、目標速度Ｖｔａｒｇｅｔとするための運転支援と目標側方間隔Ｗ１ｔａｒｇｅｔとするための運転支援を、いずれか一方のみ行ってもよく、両者をタイミングをずらして行ってもよく、両者を同時に行ってもよい。
【００７８】
また、運転支援制御部３１は、運転者ＤＰの注視方向を考慮してもよい。運転支援制御部３１は、注視方向検出部２９の検出結果を取得し、演算された危険方向と運転者の注視方向とが一致しているかを判定する。運転支援制御部３１は、当該判定結果に基づいて、運転者が危険方向に向いているときは運転支援を弱くし、向いていないときは運転支援を強くすることができる。運転支援制御部３１は、例えば、図１２に示すような制御を行う。強い運転支援とは、例えば、ブレーキの強さを大きくすること、あるいは、運転支援の開始タイミングを早くすることである。
【００７９】
Ｓ１６０の処理が終了することにより、図３に示す制御処理が終了し、再びＳ１００から処理が開始される。
【００８０】
上述のＳ１４０の処理の後、Ｓ１５０〜Ｓ１６０の処理と同時に、自車両ＳＭの前方を監視する前方監視処理が実行される（ステップＳ２００）。Ｓ１５０〜Ｓ１６０の処理は、Ｓ１００〜Ｓ１４０の処理結果を利用することによって、死角からの移動体の飛び出しの可能性に基づいた運転支援を行うための処理である。これに対して、Ｓ２００の処理は、実際の移動体の飛び出しを監視し、当該飛び出しがある場合に、当該移動体との接触を回避するための運転支援を行う処理である。これにより、推定に基づいて予め安全性を確保するための運転支援を実行すると同時に、実際に移動体が飛び出した場合には、当該実際の飛び出しに対応するための運転支援も実行できる。
【００８１】
前方監視処理の処理内容について、図１３を参照して説明する。図１３に示すように、注意度演算部３２は、死角を構成する場所での左右方向の注意度を演算する（ステップＳ２１０）。また、左右配分量演算部３３は、Ｓ２１０での注意度の演算結果に基づいて、演算負荷の左右配分量を演算する（ステップＳ２２０）。Ｓ２１０〜Ｓ２２０の処理は、注意度として見通し度を用いた場合の演算方法と、注意度として安全度を用いた場合の演算方法を採用することができる。
【００８２】
注意度として見通し度を用いた場合の演算方法について説明する。注意度演算部３２は、注意度として、死角を構成する場所での左右方向の見通し度を演算する。見通し度が高い（つまり見易い）ほど、注意を払う必要が少なくなるため、注意度を低く設定できる。一方、見通し度が低い（つまり見にくい）ほど、注意を払う必要があるため、注意度を高く設定する。注意度演算部３２は、自車両ＳＭの直進方向と、左右の死角点とのなす角度によって見通し度（すなわち注意度）を表すことができる。角度が大きいほど見通し度が高くなり、注意度は低くなる。角度が小さいほど見通し度が低くなり、注意度は高くなる。例えば、図１４（ａ）に示す例においては、注意度演算部３２は、左側注意度を、左側の死角点Ｐ２と自車両ＳＭの直進方向がなす角度θＬで表し、右側注意度を、左側の死角点Ｐ１と自車両ＳＭの直進方向がなす角度θＲで表すことができる。左側角度θＬ及び右側角度θＲのうち、角度が小さい方の注意度が高くなる。左右配分量演算部３３は、左側の演算負荷の配分量ＲＬと、右側の演算負荷の配分量ＲＲを演算する。注意度が高い側の方向に対する認識の精度を上げる必要があるので、演算の負荷の配分量が高くなる。具体的には、左右配分量（ＲＬ；ＲＲ）は、式（６）で表される。図１４（ａ）では、左側角度θＬの方が小さいため、左側注意度の方が高くなり、左側配分量ＲＬが大きくなる。見通し度は、死角の位置に応じて容易に演算することができるため、注意度を演算するための負荷を低減できる。
【００８３】
ＲＬ：ＲＲ  ＝  θＲ／（θＬ＋θＲ）：θＬ／（θＬ＋θＲ）  …（６）
【００８４】
次に、注意度として安全度を用いた場合の演算方法について説明する。注意度演算部３２は、注意度として、死角を構成する場所での左右方向の安全度を演算する。安全度が高い（つまり移動体との接触の可能性が低い）ほど、注意を払う必要が少なくなるため、注意度を低く設定できる。一方、安全度が低い（つまり、移動体との接触の可能性が高い）ほど、注意を払う必要があるため、注意度を高く設定する。安全度は、左右方向の死角からの移動体の飛び出しを想定した場合の危険ゾーンに基づいて設定される目標速度を用いて表すことができる。目標速度が低いほど、当該方向から飛び出してくる移動体との接触を回避するには、自車両の速度を低くしておく必要があるということなので、注意度を高く設定する。図１４（ｂ）に示す例においては、左側の安全度は、左側の死角からの移動体の飛び出しを想定した場合の危険ゾーンＤＺ＿Ｌに基づいて設定される左側目標速度Ｖｔａｒｇｅｔ＿Ｌで表される。図１４（ｃ）に示す例においては、右側の安全度は、右側の死角からの移動体の飛び出しを想定した場合の危険ゾーンＤＺ＿Ｒに基づいて設定される右側目標速度Ｖｔａｒｇｅｔ＿Ｒで表される。左側の危険ゾーンＤＺ＿Ｌ及び右側の危険ゾーンＤＺ＿Ｒは、Ｓ１２０の処理での演算結果を用いることができる。図８に示す例では、グラフＣ及びグラフＤで構成されるエリアが左側危険ゾーンＤＺ＿Ｌとなり、グラフＡ及びグラフＢで構成されるエリアが右側危険ゾーンＤＺ＿Ｒとなる。左側目標速度Ｖｔａｒｇｅｔ＿Ｌ及び右側目標速度Ｖｔａｒｇｅｔ＿Ｒのうち、目標速度が小さい方の注意度が高くなる。左右配分量演算部３３は、左側の演算負荷の配分量ＲＬと、右側の演算負荷の配分量ＲＲを演算する。注意度が高い側の方向に対する認識の精度を上げる必要があるので、演算の負荷の配分量が高くなる。具体的には、左右配分量（ＲＬ；ＲＲ）は、式（７）で表される。注意度として、左右方向の安全度を演算することで、安全性を確保することができる。また、Ｓ１２０の演算結果を流用することで、演算負荷を低減ができる。
【００８５】
ＲＬ：ＲＲ  ＝
Ｖｔａｒｇｅｔ＿Ｒ／（Ｖｔａｒｇｅｔ＿Ｌ＋Ｖｔａｒｇｅｔ＿Ｒ）：
Ｖｔａｒｇｅｔ＿Ｌ／（Ｖｔａｒｇｅｔ＿Ｌ＋Ｖｔａｒｇｅｔ＿Ｒ）      …（７）
【００８６】
なお、左右配分量（ＲＬ；ＲＲ）は、見通し度と安全度の何れか一方に基づいて演算されればよい。ただし、見通し度と安全度の両方が考慮されて演算されてもよい。
【００８７】
次に、演算精度設定部３４は、Ｓ２２０で演算された左右配分量（ＲＬ；ＲＲ）に基づいて、グリッドマップ演算精度を設定する（ステップＳ２４０）。演算精度設定部３４は、左右方向のうち、注意度が高い側（演算負荷の配分量が大きい側）の死角点や移動体に対する認識の演算精度が高くなるように、左側演算精度及び右側演算精度を設定する。
【００８８】
演算精度設定部３４は、演算精度を高くする方のグリッドマップ間隔が狭くなるように設定する。すなわち、演算精度設定部３４は、左側注意度が高い場合（見通し度が低い場合、安全度が低い場合）は、左側グリッドマップ間隔ＷＬが狭くなるように設定する。演算精度設定部３４は、右側注意度が高い場合（見通し度が低い場合、安全度が低い場合）は、右側グリッドマップ間隔ＷＲが狭くなるように設定する。具体的には、演算精度設定部３４は、左右配分量（ＲＬ；ＲＲ）に基づいて、式（８）を用いて左側グリッドマップ間隔ＷＬを設定し、式（９）を用いて右側グリッドマップ間隔ＷＲを設定する。なお、Ｗは所定の係数である。図１５に示す例では、左側注意度が高いことにより、左側グリッドマップ間隔ＷＬの方が右側グリッドマップ間隔ＷＲに比して狭くなっている。
【００８９】
ＷＬ  ＝  ｛ＲＲ／（ＲＬ＋ＲＲ）｝  ×  Ｗ  …（８）
ＷＲ  ＝  ｛ＲＬ／（ＲＬ＋ＲＲ）｝  ×  Ｗ  …（９）
【００９０】
また、演算精度設定部３４は、認識に利用するグリッドマップ内の情報量（精度、ＬＳＢ、メモリサイズ）を左右で配分してもよい。すなわち、演算精度設定部３４は、左側注意度が高い場合（見通し度が低い場合、安全度が低い場合）は、左側グリッドマップの情報量が多くなるように設定する。演算精度設定部３４は、右側注意度が高い場合（見通し度が低い場合、安全度が低い場合）は、右側グリッドマップの情報量が多くなるように設定する。なお、演算精度設定部３４は、グリッドマップ間隔の変更処理と、グリッドマップ情報量の変更処理のいずれか一方のみを行ってもよいが、両方行ってもよい。
【００９１】
なお、図１５では、自車両ＳＭの中心線に対して左側領域に左側グリッドマップ間隔ＷＬ一定にてグリッドマップが設定され、右側領域に右側グリッドマップ間隔ＷＲ一定にてグリッドマップが設定されている。車両前後方向に対しては、左側領域も右側領域もグリッドマップ間隔は等しくなっている。ただし、グリッドマップの設定方法は、図１５に示すようなものに限らず、左側注意度と右側注意度に基づいて演算精度が調整されていればあらゆる態様にてグリッドマップを設定してよい。例えば、車両前後方向においても、注意度が高い方のグリッドマップ間隔を狭くしてよい。また、車幅方向においてグリッドマップ間隔ＷＬ，ＷＲ一定にてグリッドマップが設定されているが、自車両ＳＭから距離が遠くなるにつれて間隔が広くなっていくようにしてもよい。また、自車両ＳＭの中心線を境に、左側と右側とで演算精度が変化しているが、自車両ＳＭの中心線付近の所定幅の領域は左右の注意度の違いによる演算精度の調整が行われず一定となっており、当該領域よりも左側及び右側の領域にて演算精度の調整が行われてもよい。
【００９２】
次に、注意方向判断部３７は、Ｓ２１０で注意度演算部３２によって演算された注意度の高い方向（運転者が注意を払うべき注意方向）が左右方向のどちらであるかを判断し、当該注意度の低い方向（注意方向とは反対の方向）が左右方向のどちらであるかを判断する（ステップＳ２８０）。注意方向判断部３７は、Ｓ２１０の結果をそのまま用いて、注意度の高い方向を判断してもよく、Ｓ２３０で演算された左右配分量に基づいて、注意度の高い方向を判断してもよい。
【００９３】
次に、運転支援制御部３１は、Ｓ２８０で判断された注意方向に基づいて、注意喚起を行う（ステップＳ２９０）。運転支援制御部３１は、注意度が高いと演算された方向に運転者の注意を向けるような注意喚起を、前方監視部３６が実際の移動体の飛び出しを検知する前に、実行する。運転支援制御部３１は、表示部８や音声発生部９に制御信号を出力することで、所定の告知手段（警報音、インジケータ・ナビ・メータ表示、画像表示など）を用いて所定の告知レベル（音の大きさ、周期、光の輝度、色、画像の内容など）にて注意喚起する。Ｓ２９０の処理では、運転支援制御部３１は、注意度が高いと演算された方向（見通し度が悪い方向、安全度が低い方向）に対する注意喚起レベルを、注意度が低いと演算された方向に対する注意喚起レベルよりも高く設定して、注意喚起を行う。注意喚起レベルを高くするには、告知レベル自体を高くしてもよく（例えば音や光の輝度などを強くする）、または告知手段を変更・追加することで強い注意喚起を行ってもよく（例えば、光による告知から、ブザーによる告知に変更、または追加するなど）、それら両方を行ってもよい。Ｓ２９０での運転支援は、図３のＳ１６０での運転支援に追加される形で、同時に行われてよい。
【００９４】
次に、前方監視部３６は、Ｓ２３０で設定されたグリッドマップを用いて、自車両ＳＭの前方を監視する（ステップＳ２４０）。前方監視部３６は、前方に存在する死角点を認識すると共に、死角から移動体が飛び出したときは当該移動体を認識する。次に、運転支援制御部３１は、前方監視部３６によって移動体の飛び出しが検知されたか否かを判定することにより、運転支援の要否を判定する（ステップＳ２５０）。
【００９５】
Ｓ２５０において、移動体の飛び出しが検知された場合、注意喚起レベル調整部３８は、Ｓ２４０で検知された移動体の飛び出し方向が、Ｓ２８０で判断した注意方向と同じであるか否かを判定する（ステップＳ３００）。Ｓ３００において、同じであると判定された場合（すなわち、注意度が高いと演算された方向からの移動体の飛び出しが検知された場合）、注意喚起レベル調整部３８は、演算による推定通りの方向から移動体が飛び出したと判断し、注意喚起レベルを通常レベルに設定し、運転支援制御部３１は、通常レベルの注意喚起を行うための運転支援を実行する（ステップＳ３２０）。一方、Ｓ３００において、異なると判定された場合（すなわち、注意度が低いと演算された方向からの移動体の飛び出しが検知された場合）、注意喚起レベル調整部３８は、演算による推定とは異なる方向から移動体が飛び出したと判断し、注意喚起レベルを通常レベルよりも高く設定し、運転支援制御部３１は、高いレベルでの注意喚起を行うための運転支援を実行する（ステップＳ３１０）。運転支援制御部３１は、表示部８や音声発生部９に制御信号を出力することで、所定の告知手段（警報音、インジケータ・ナビ・メータ表示、画像表示など）を用いて所定の告知レベル（音の大きさ、周期、光の輝度、色、画像の内容など）にて注意喚起する。Ｓ３１０の処理では、運転支援制御部３１は、注意度が高いと判断していた方向から実際の移動体の飛び出しが検知された場合の注意喚起レベルを、通常時（判断通りの方向から実際の移動体の飛び出しが検知された場合）の注意喚起レベルよりも高く設定して、注意喚起を行う。注意喚起レベルを高くするには、告知レベル自体を高くしてもよく（例えば音や光の輝度などを強くする）、または告知手段を変更・追加することで強い注意喚起を行ってもよく（例えば、光による告知から、ブザーによる告知に変更、または追加するなど）、それら両方を行ってもよい。なお、Ｓ３１０及びＳ３２０のいずれの場合であっても、運転支援制御部３１は、当該移動体との接触を回避するための運転支援を、注意喚起と共に実行する。運転支援制御部３１は、例えば、急ブレーキや、経路変更や、運転者に対する警告などによる運転支援を行う。なお、Ｓ３１０やＳ３２０による運転支援は、図３に示すＳ１６０の運転支援処理に介入する形で実行される。移動体の飛び出しが検知された場合、Ｓ３１０又はＳ３２０の後、図１３の処理は終了し、図３に示す処理も終了する。
【００９６】
一方、Ｓ２５０において、移動体の飛び出しが検知されなかった場合、運転支援制御部３１は、自車両ＳＭが死角進入地点ＳＤＬを通過したか（すなわち、Ｌ＝０に達したか）を判定する（ステップＳ２７０）。Ｓ２７０において死角進入地点ＳＤＬを通過していないと判定された場合、再びＳ２４０から処理が繰り返される。一方、Ｓ２７０において死角進入地点ＳＤＬを通過したと判定された場合、図１３の処理は終了し、図３に示す処理も終了する。
【００９７】
なお、見通し度は死角点の位置を把握すれば直ちに演算することができるため、Ｓ２１０の処理において注意度として、見通し度のみを演算する場合、Ｓ１００の処理の後、直ちに前方監視処理を開始してもよい。また、Ｓ２１０〜Ｓ２２０，Ｓ２８０，Ｓ２９０の処理を前方監視処理Ｓ２００に含めていた。つまり、Ｓ１４０の処理が終わった後に、Ｓ２００の処理とＳ１５０の処理とを分岐させて同時並行で行われる処理とし、Ｓ２００の中でＳ２１０〜Ｓ２２０，Ｓ２８０，Ｓ２９０が実行されていた。これに代えて、例えば、Ｓ２１０〜Ｓ２２０，Ｓ２８０，Ｓ２９０の一部または全部の処理を図１２中のＳ１４０とＳ１５０の処理の間に含め、Ｓ２９０の処理が終わった後に、前方監視処理とＳ１５０の処理とを分岐させてもよい。
【００９８】
次に、本実施形態に係る運転支援装置１の作用・効果について説明する。
【００９９】
自車両ＳＭの左側と右側の両方に死角が存在する場合、注意を払う必要性が、一方の死角に比して他方の死角の方が高くなる場合がある。従って、運転者が注意度の高い方に注意を向けている場合がある（例えば、運転者自身がそのように判断して当該方向に注意を向けている場合や、Ｓ２９０のような運転支援によって当該方向に注意が向くようにする場合などがある）。このような場合に、実際には反対側から移動体が飛び出ししてくると、当該飛び出しに対する対応が遅れる可能性がある。従って、運転支援装置１では、運転支援制御部３１は、前方監視部３６によって、注意度演算部３２により注意度が低いと演算された方向からの移動体の飛び出しが検知された場合、注意度演算部３２により注意度が高いと演算された方向からの移動体の飛び出しが検知された場合に比して、注意喚起レベルを高くする。これによって、演算結果と異なる方向から実際の移動体が飛び出した場合であっても、注意喚起レベルを高くしておくことで、当該飛び出しに対応することができる。以上によって、適切な運転支援を行い、安全性をより一層向上できる。
【０１００】
運転支援装置１において、運転支援制御部３１は、注意度演算部３２により注意度が高いと演算された方向に運転者の注意を向けるような注意喚起を、前方監視部３６による移動体の飛び出しの検知前に行ってもよい。これにより、移動体の飛び出し前には、注意度が高いと演算された方向に運転者の注意を向けておくことができる。一方、当該演算結果と異なる方向から実際の移動体が飛び出した場合でも、注意喚起レベルを高くしておくことで、当該飛び出しに対応することができる。
【０１０１】
本実施形態に係る運転支援装置１では、注意度演算部３２が、死角を構成する場所での左右方向の注意度を演算することができる。自車両ＳＭの左側と右側の両方に死角が存在する場合、注意を払う必要性が、一方の死角に比して他方の死角の方が高くなる場合がある。このように、左側と右側とで必要とされる注意度に差が生じる場合、必要とされる演算精度についても左側と右側とで差が生じる場合がある。このような差に関わらず、左右方向の両側において高い演算精度に設定する場合、演算負荷が大きくなる。しかし、本実施形態に係る運転支援装置１では、演算精度設定部３４が、左右方向の注意度に基づいて、演算精度を調整することができる。従って、注意が必要な方向については十分な演算精度を確保しつつも、他方については演算負荷を低減することが可能となる。このように演算負荷を低減することにより、適切な運転支援を行い、安全性をより一層向上できる。
【０１０２】
本実施形態に係る運転支援装置１では、移動体情報設定部２２が、死角から飛び出して来る可能性のある移動体を予測し、当該移動体に関する移動体情報を設定している。また、速度領域演算部２３は、死角から飛び出すと予測された移動体の想定速度に基づいて、自車両がどのような速度で走行すると、当該移動体と接触する可能性があるかを演算できる。そして、速度領域演算部２３は、移動体との接触の可能性がある速度領域（危険ゾーンＤＺ）を演算することができる。目標速度演算部２４は、演算された速度領域に基づいて、目標速度を演算している。このように、運転支援装置１は、想定される移動体と、自車両ＳＭの進路予測結果とを比較するものではなく、移動体と接触する可能性がある速度領域を演算し、当該演算に基づいて目標速度を演算するものである。このように、運転支援装置１は、どのような速度で走行すればよいかの具体的な目標速度に基づいて制御を行うことができるため、高い安全性を確保した運転支援を行なうことができる。また、運転支援装置１による運転支援は、自車両の進路予測の精度には影響を受けないため、適切な運転支援を行うことができる。以上より、運転支援装置１は、適切な運転支援を行い、安全性をより一層向上することができる。
【０１０３】
このように、本実施形態に係る運転支援装置１は、実際に自車両の前方を認識することによる運転支援（Ｓ２００の前方監視処理に基づく運転支援）に加え、移動体の飛び出しの可能性に基づく運転支援（Ｓ１６０の運転支援処理）を行うことで、安全性をより一層向上できる。ここで、このような運転支援を追加するには、目標速度を演算するための演算負荷が必要となるが、この運転支援装置１は、演算精度設定部３４が、左右方向の注意度に基づいて、演算精度を調整することで、自車両ＳＭの前方を認識することによる運転支援に係る演算負荷を低減できる。これにより、演算負荷を過剰に大きくすることなく、実際に自車両の前方を認識することによる運転支援と、移動体の飛び出しの可能性に基づく運転支援を両立させることが可能となる。
【０１０４】
また、運転支援装置は、死角から移動体が実際に飛び出して来たものを検知してから運転支援を行うものではなく、実際の飛び出しに関わらず予め移動体（及びその想定速度）を予測して運転支援を行うことができる。運転支援装置１は、死角が交差点を通過するとき、想定される危険を予め予測した上で目標速度を演算することで、実際に死角から移動体が飛び出して来た場合であっても、安全性をより一層向上するような運転支援を行うことができる。
【０１０５】
運転支援装置１は、速度領域演算部２３によって演算された速度領域に基づいて、自車両ＳＭの目標横位置を演算する目標横位置演算部２５を備えている。自車両ＳＭの横位置によって死角の大きさは変わり、それによって移動体との接触の危険度も変動する。従って、運転支援装置１は、目標横位置演算部２５による目標横位置の演算によって、自車両ＳＭが安全性の高い横位置にて走行するように、適切な運転支援を行うことができる。
【０１０６】
運転支援装置１において、移動体情報設定部２２は、死角を構成する道路の形状に基づいて、移動体情報を設定してよい。道路の形状によって、死角から飛び出して来る可能性のある移動体の挙動は影響を受ける。運転支援装置１は、道路の形状を考慮することで、一層精度の高い運転支援を行うことができる。
【０１０７】
運転支援装置１において、移動体情報設定部２２は、移動体側の車線幅と、自車両側の車線幅との比に基づいて、移動体情報を設定してよい。このように各車線幅の比を考慮することで、運転支援装置１は、運転者の感覚、及び実際の移動体の飛び出し速度に一層適合した運転支援を行うことができる。
【０１０８】
運転支援装置１において、移動体情報設定部２２は、死角の周辺環境に基づいて、移動体情報を設定してよい。このように死角の周辺環境を考慮することにより、運転支援装置１は、運転者の感覚に一層適合した運転支援を行うことができる。
【０１０９】
運転支援装置１は、死角を構成する道路に関する交通情報を取得する交通情報取得部２６を備え、移動体情報設定部２２は、交通情報取得部２６で取得した交通情報に基づいて、移動体情報を設定してよい。このように死角周辺の情報だけでは知り得ない交通情報を考慮することで、本当に危険度が高い死角道路を通過する際に、運転支援装置１は、安全性をより一層向上できる有効な運転支援を行うことが可能となる。
【０１１０】
運転支援装置１は、運転者の過去の経験情報を取得する経験情報取得部２７を備え、移動体情報設定部２２は、経験情報取得部２７で取得した経験情報に基づいて、移動体情報を設定してよい。このように運転者の過去の経験情報を利用することで、運転支援装置１は、運転者の経験に適合した運転支援を行うことができる。
【０１１１】
運転支援装置１は、自車両周辺に存在する物体の挙動に関する物体情報を取得する物体情報取得部２８を備え、移動体情報設定部２２は、物体情報取得部２８で取得した物体情報に基づいて、移動体情報を設定してよい。自車両周辺の物体の挙動は、飛び出して来る移動体の速度等にも影響を与えるが、このような情報を考慮することで、運転支援装置１は、より実態に適合した運転支援を行うことができる。
【０１１２】
運転支援装置１は、運転者に対して、死角への注意を喚起する運転支援制御部３１を備え、運転支援制御部３１は、死角が複数方向に存在する場合、速度領域演算部２３で演算された速度領域の形状に基づいて、危険度が高い危険方向を判定し、運転者が危険方向を向くように、注意喚起を制御してよい。このように、運転支援装置１は、運転者が危険度の高い危険方向を向くように注意喚起することで、危険の未然防止効果を上げることができる。
【０１１３】
運転支援装置１は、運転者の注視方向を検出する注視方向検出部２９を備え、運転支援制御部３１は、危険方向と注視方向に基づいて、注意喚起を制御してよい。このように運転者の注視方向を考慮して注意喚起を制御することで、運転者のわずらわしさを低減すると共に、実際に運転支援が必要な場面で、一層効果的な運転支援を実行できる。
【０１１４】
本発明は、上述の実施形態に限定されるものではない。
【０１１５】
例えば、移動体として他車両を例示したが、二輪車などのように、死角から飛び出してくる可能性があるものであればどのようなものでもよい。移動体の種類によって、設定する移動体情報を変更する。
【０１１６】
また、上述の実施形態では、移動体情報設定部２２が移動体情報を設定するために、様々な要素を考慮していたが、全てを考慮する必要はなく、各要素のなかの一部、または何れか一つを考慮することとしてもよい。
【０１１７】
なお、上述の実施形態では、目標速度としてＬ＝０での目標速度のみを設定したが、Ｌ＝０へ至るまでの途中に、目標速度を複数設定してもよい。例えば、自車両ＳＭの現在位置から死角進入地点（Ｌ＝０）までの間で、一定間隔ごとに目標速度を設定し（死角進入地点に近づくに従って、目標速度が徐々に低くなって行く）、現在位置からＬ＝０までの目標速度プロファイルを算出してもよい。
【０１１８】
本実施形態では、危険ゾーンＤＺは、死角進入地点までの自車両の距離Ｌに関して特に範囲が設けられることなく設定されていたが、例えば「０≦Ｌ≦Ｘ１」のように一定範囲に限定して設定されてもよい。また、所定のＬのみに対して危険ゾーンＤＺが設定されてもよく、例えばＬ＝０の部分のみに危険ゾーンＤＺ（つまり、Ｌ＝０での速度領域のみに基づいて目標速度が設定される）が設定されていてもよい。
【０１１９】
なお、上述の実施形態では、演算精度を調整して実際に自車両ＳＭの前方を認識することによる運転支援と、移動体の飛び出しの可能性による（危険ゾーンや目標速度などを利用した）運転支援の両方を行っているが、前者の運転支援のみを実行してもよい。また、注意度の演算結果に基づいて、左右方向の認識の演算精度の調整を行っているが、当該処理を省略してもよい。
【産業上の利用可能性】
【０１２０】
本発明は、運転支援装置に利用可能である。
【符号の説明】
【０１２１】
１…運転支援装置、２１…死角認識部、２２…移動体情報設定部、２３…速度領域演算部、２４…目標速度演算部、２５…目標横位置演算部、２６…交通情報取得部、２７…物体情報取得部、２９…注視方向検出部、３１…運転支援制御部（注意喚起部）、３２…注意度演算部、左右配分量演算部、３４…演算精度設定部、３６…前方監視部（移動体検知部）、３７…注意方向判断部、３８…注意喚起レベル調整部、ＳＭ…自車両、ＲＭ，ＬＭ…他車両（移動体）、ＤＰ…運転者。
【図１】
0005660065.tif 000002
【図２】
0005660065.tif 000003
【図３】
0005660065.tif 000004
【図４】
0005660065.tif 000005
【図５】
0005660065.tif 000006
【図６】
0005660065.tif 000007
【図７】
0005660065.tif 000008
【図８】
0005660065.tif 000009
【図９】
0005660065.tif 000010
【図１０】
0005660065.tif 000011
【図１１】
0005660065.tif 000012
【図１２】
0005660065.tif 000013
【図１３】
0005660065.tif 000014
【図１４】
0005660065.tif 000015
【図１５】
0005660065.tif 000016